(57)【要約】【課題】  会員登録されている番組や参加している番組、点数を保有している番組などを容易に判別でき、選局も容易で、番組表で会員登録情報や保有する点数なども参照することができるデジタル放送受信装置、番組情報表示方法及び番組情報表示プログラムを提供する。【解決手段】  デジタル放送受信装置１００は、ＥＰＧデータを抽出する分離部１０４と、参加した参加型番組やゲームなどの点数蓄積型の番組への参加履歴及び該当番組でのユーザデータを保存するユーザデータ格納部１１３と、装置全体の制御を行うと共に、ユーザデータに基づいて、取得したＥＰＧデータに、参加型番組に関連する情報を付加した特定形式の番組情報又は番組表を作成する処理を行うＣＰＵ１０７とを備え、作成された番組表をディスプレイに表示する。【選択図】  図２
2006005850.tif 000002
【特許請求の範囲】
【請求項１】
デジタル放送を受信するデジタル放送受信装置において、
電子番組表（ＥＰＧ：Electronic Program Guide）情報を取得する電子番組表取得手段と、
放送局との間でユーザデータを送受信する通信手段と、
ユーザデータを保存するユーザデータ保存手段と、
前記ユーザデータ保存手段から読み出したユーザデータに基づいて、取得した前記電子番組表情報に、参加型番組に関連する情報を付加した番組表を作成する番組表作成手段と、
前記番組表作成手段により作成された番組表を表示する表示手段と
を備えることを特徴とするデジタル放送受信装置。
【請求項２】
前記参加型番組に関連する情報は、該参加型番組に参加するための参加ボタンを含んでおり、前記参加ボタンを指定して、放送局との双方向サービスやゲームなどの参加型番組に参加する参加手段をさらに備えることを特徴とする請求項１記載のデジタル放送受信装置。
【請求項３】
前記参加手段は、デジタル放送用のコンテンツ記述言語で記述されたコンテンツを解釈し、該コンテンツ記述言語で記述されたコンテンツを表示手段に表示するブラウザ手段を使用して参加することを特徴とする請求項１又は２に記載のデジタル放送受信装置。
【請求項４】
前記ブラウザ手段は、ＢＳデジタル放送などで使用されている、ＢＭＬ（Broadcast Markup Language）で記述された記述言語を用いることを特徴とする請求項１乃至３のいずれか一項に記載のデジタル放送受信装置。
【請求項５】
前記ユーザデータ保存手段は、放送局との双方向サービスや番組のコンテンツを楽しむための会員登録データ又は、ゲームなどの参加型番組において取得したポイントデータを保存することを特徴とする請求項１乃至４のいずれか一項に記載のデジタル放送受信装置。
【請求項６】
前記ユーザデータ保存手段は、会員登録を放送局単位で行った際の登録情報を保存し、
前記番組表作成手段は、該当放送局が会員登録されている放送局であることを判別できる番組表を作成することを特徴とする請求項１乃至５のいずれか一項に記載のデジタル放送受信装置。
【請求項７】
前記ユーザデータ保存手段は、会員登録を番組単位で行った際の登録情報を保存し、
前記番組表作成手段は、該当番組が会員登録されている番組であることを判別できる番組表を作成することを特徴とする請求項１乃至６のいずれか一項に記載のデジタル放送受信装置。
【請求項８】
前記ユーザデータ保存手段は、視聴者参加型番組に会員登録しないでゲストとして参加した際の参加番組データを保存し、
前記番組表作成手段は、該当番組に参加した番組であることを判別できる番組表を作成することを特徴とする請求項１乃至７のいずれか一項に記載のデジタル放送受信装置。
【請求項９】
前記ユーザデータ保存手段は、会員登録データと共に、番組で取得したポイントデータを保存し、
前記番組表作成手段は、該当番組の会員登録データ及びポイントデータを確認できる番組表を作成することを特徴とする請求項１乃至８のいずれか一項に記載のデジタル放送受信装置。
【請求項１０】
前記ユーザデータ保存手段は、参加番組データと共に、番組で取得したポイントデータを保存し、
前記番組表作成手段は、会員登録していない番組において前回参加時のポイントデータを確認できる番組表を作成することを特徴とする請求項１乃至９のいずれか一項に記載のデジタル放送受信装置。
【請求項１１】
前記番組表作成手段は、会員登録データを基に会員登録済みの放送局及び番組のみの番組表を作成することを特徴とする請求項１乃至１０のいずれか一項に記載のデジタル放送受信装置。
【請求項１２】
前記番組表作成手段は、参加番組データを基に参加済みの番組のみの番組表を作成することを特徴とする請求項１乃至１１のいずれか一項に記載のデジタル放送受信装置。
【請求項１３】
前記ユーザデータ保存手段は、ポイントデータ保存時に、該ポイントデータの有効期限及び転送締切日を設定して保存することを特徴とする請求項１乃至１２のいずれか一項に記載のデジタル放送受信装置。
【請求項１４】
前記番組表作成手段は、設定した前記有効期限及び転送締切日を示すマークを付した番組表を作成することを特徴とする請求項１乃至１３のいずれか一項に記載のデジタル放送受信装置。
【請求項１５】
前記番組表作成手段は、現在放送中の裏番組において会員登録済み番組又は参加済み番組が存在することを確認できる裏番組一覧表を作成することを特徴とする請求項１乃至１４のいずれか一項に記載のデジタル放送受信装置。
【請求項１６】
前記番組表作成手段は、会員登録済み番組又は参加済み番組のみの一覧表、及び会員のみが参加できる番組一覧表を作成することを特徴とする請求項１乃至１５のいずれか一項に記載のデジタル放送受信装置。
【請求項１７】
さらに、裏番組として放送中の番組を受信するサブチューナと、
裏番組において会員専用コンテンツの有無を取得し、現在放送中の番組において会員専用のコンテンツがあることを知らせる報知手段とを備えることを特徴とする請求項１乃至１６のいずれか一項に記載のデジタル放送受信装置。
【請求項１８】
さらに、裏番組として放送中の番組を受信するサブチューナと、
裏番組において参加型コンテンツの有無を取得し、現在参加できる番組を知らせる報知手段とを備えることを特徴とする請求項１乃至１７のいずれか一項に記載のデジタル放送受信装置。
【請求項１９】
デジタル放送受信装置の番組情報表示方法であって、
電子番組表情報を取得する取得ステップと、
ユーザデータを保存する保存ステップと、
保存された前記ユーザデータに基づいて、取得した前記電子番組表情報に、参加型番組に関連する情報を付加した番組表を作成する作成ステップと、
作成された前記番組表を表示する表示ステップと
を有することを特徴とする番組情報表示方法。
【請求項２０】
さらに、放送局との双方向サービスやゲームなどの参加型番組に参加する参加ステップと、
前記参加により取得したデータにより前記保存ステップで保存されたユーザデータを更新するステップとを有することを特徴とする請求項１９記載の番組情報表示方法。
【請求項２１】
デジタル放送受信装置の番組情報表示方法であって、電子番組表情報を取得するステップと、ユーザデータを保存するステップと、保存された前記ユーザデータに基づいて、取得した前記電子番組表情報に、参加型番組に関連する情報を付加した番組表を作成するステップと、作成された前記番組表を表示するステップとをコンピュータに実行させるためのプログラム。
【発明の詳細な説明】
【技術分野】
【０００１】
本発明は、デジタル放送における会員登録や参加型番組情報の表示及び活用し、ユーザ補助となるデジタル放送受信装置、番組情報表示方法及び番組情報表示プログラムに関する。
【背景技術】
【０００２】
近年、テレビジョン放送もアナログ放送からデジタル放送に急速に移行している。このデジタル放送では、アナログ放送に比べて多チャンネル化が図られると同時に、受信機での番組選択に必要な情報をサービス情報として番組と共に伝送している。ユーザは、この番組情報を受信機の表示画面に表示し、放送番組の確認、視聴予約、録画予約等に利用することができる。デジタル・テレビジョン放送では、ＥＰＧ（Electrical Program Guide：電子番組ガイド）情報が番組と同時に伝送され、ユーザヘの便宜が図られている。
【０００３】
ユーザ情報を活用するデジタル放送受信装置に関し、以下のような従来例がある。
特許文献１には、好みの番組や重要な情報を有する番組のように、操作者にとって有益な情報を有する番組を容易に探すことのできる番組表を作成する情報受信装置が記載されている。
【０００４】
【特許文献１】特開２００１−６９４１６号公報
【発明の開示】
【発明が解決しようとする課題】
【０００５】
しかしながら、このような従来の番組表を作成可能な情報受信装置にあっては、ユーザの嗜好情報を元に番組表を作成しているため、ユーザ会員登録の有無の観点から情報の検索を見た場合以下のような不具合があった。
【０００６】
例えば、デジタル放送において、放送局との双方向サービスや番組のコンテンツを楽しむためのユーザ会員登録している番組などを優先的に選局したり、番組内などで点数を保有するような参加型番組の情報は、該当番組を視聴しないと、確認することが困難であるという問題があった。
【０００７】
また、会員登録していない参加型番組において、ゲストとして参加した場合に、その際のデータが保持されずに、前回の取得ポイントと比較したい場合などに参照することができないという問題があった。
【０００８】
本発明は、このような課題に鑑みてなされたものであって、会員登録されている番組や参加している番組、点数を保有している番組などを容易に判別でき、選局も容易で、番組表で会員登録情報や保有する点数なども参照することができるデジタル放送受信装置、番組情報表示方法及び番組情報表示プログラムを提供することを目的としている。
【０００９】
また、会員登録せずに参加した番組の情報の保存を行うことができ、会員登録していない参加型番組での取得データの確認を行うことができるデジタル放送受信装置、番組情報表示方法及び番組情報表示プログラムを提供することを目的としている。
【課題を解決するための手段】
【００１０】
本発明のデジタル放送受信装置は、デジタル放送を受信するデジタル放送受信装置において、電子番組表（ＥＰＧ）情報を取得する電子番組表取得手段と、放送局との間でユーザデータを送受信する通信手段と、ユーザデータを保存するユーザデータ保存手段と、前記ユーザデータ保存手段から読み出したユーザデータに基づいて、取得した前記電子番組表情報に、参加型番組に関連する情報を付加した番組表を作成する番組表作成手段と、前記番組表作成手段により作成された番組表を表示する表示手段とを備えることを特徴としている。
【００１１】
また、前記参加型番組に関連する情報は、該参加型番組に参加するための参加ボタンを含んでおり、前記参加ボタンを指定して、放送局との双方向サービスやゲームなどの参加型番組に参加する参加手段をさらに備えることがより好ましい。
【００１２】
より好ましい具体的な態様として、前記参加手段は、デジタル放送用のコンテンツ記述言語で記述されたコンテンツを解釈し、該コンテンツ記述言語で記述されたコンテンツを表示手段に表示するブラウザ手段を使用して参加する。
【００１３】
具体的な態様として、前記ブラウザ手段は、ＢＳデジタル放送などで使用されている、ＢＭＬで記述された記述言語を用いるので、ＢＭＬで記述されたコンテンツの解釈と表示が行え、またユーザデータの表示が可能となる。
【００１４】
より好ましい具体的な態様として、前記ユーザデータ保存手段は、放送局との双方向サービスや番組のコンテンツを楽しむための会員登録データ又は、ゲームなどの参加型番組において取得したポイントデータを保存する。
【００１５】
また、前記ユーザデータ保存手段は、会員登録を放送局単位で行った際の登録情報を保存し、前記番組表作成手段は、該当放送局が会員登録されている放送局であることを判別できる番組表を作成することで、作成された特定形式の番組表により会員登録済みの番組と他の番組との判別ができ、選局時の補助にも使用することが可能となる。
【００１６】
また、前記ユーザデータ保存手段は、会員登録を番組単位で行った際の登録情報を保存し、前記番組表作成手段は、該当番組が会員登録されている番組であることを判別できる番組表を作成することで、作成された特定形式の番組表により参加済み番組かどうかの判別がし易くなると共に、参加していた番組の視聴忘れをしないための補助となる。
【００１７】
また、前記ユーザデータ保存手段は、視聴者参加型番組に会員登録しないでゲストとして参加した際の参加番組データを保存し、前記番組表作成手段は、該当番組に参加した番組であることを判別できる番組表を作成することで、会員登録していない参加型番組に参加した場合でも、取得したデータを保持することが可能となる。
【００１８】
また、前記ユーザデータ保存手段は、会員登録データと共に、番組で取得したポイントデータを保存し、前記番組表作成手段は、該当番組の会員登録データ及びポイントデータを確認できる番組表を作成することで、作成された特定形式の番組表や番組情報表示画面によって、会員登録情報や取得データを、該当番組を視聴することなく表示・確認することが可能となる。
【００１９】
また、前記ユーザデータ保存手段は、参加番組データと共に、番組で取得したポイントデータを保存し、前記番組表作成手段は、会員登録していない番組について前回参加時のポイントデータを確認できる番組表を作成するものであることで、会員登録していない番組において前回参加時の取得データを表示・確認することが可能となり、また、該当番組を視聴することなく、取得データを表示・確認することも可能となる。
【００２０】
また、前記番組表作成手段は、会員登録データを基に会員登録済みの放送局及び番組のみの番組表を作成するものであることで、会員登録済みの放送局や番組だけの番組表を表示することが可能となり、会員登録済み番組の選局が容易になる。
【００２１】
また、前記番組表作成手段は、参加番組データを基に参加済みの番組のみの番組表を作成することで、参加済みの番組だけの電子番組表を表示することが可能となり、参加済み番組の選局が容易になる。
【００２２】
前記ユーザデータ保存手段は、ポイントデータ保存時に、該ポイントデータの有効期限及び転送締切日を設定して保存するものであってもよい。この場合、前記番組表作成手段は、設定した前記有効期限及び転送締切日を示すマークを付した番組表を作成することで、取得データの放送局への送信締切り日やデータ自体の有効期限を設定することが可能となる。
【００２３】
前記番組表作成手段は、現在放送中の裏番組において会員登録済み番組又は参加済み番組が存在することを確認できる裏番組一覧表を作成することで、特定形式の番組表や番組情報表示画面において、締切り日設定マークにより、締切り日の確認をすることが可能となる。
【００２４】
前記番組表作成手段は、会員登録済み番組又は参加済み番組のみの一覧表、及び会員のみが参加できる番組一覧表を作成することで、裏番組表を表示する際に、会員登録済み番組や参加済みマークを一緒に表示することにより、会員登録済み番組や参加済み番組が現在放送中かどうかを容易に確認することが可能となる。
【００２５】
さらに、裏番組として放送中の番組を受信するサブチューナと、裏番組において会員専用コンテンツの有無を取得し、現在放送中の番組において会員専用のコンテンツがあることを知らせる報知手段とを備えるものであることで、現在放送中の番組で会員専用の番組の有無を知ることができ、会員登録していない番組においても会員専用のコンテンツがある番組を容易に知ることができ、会員登録する補助をすることが可能となる。
【００２６】
さらに、裏番組として放送中の番組を受信するサブチューナと、裏番組において参加型コンテンツの有無を取得し、現在参加できる番組を知らせる報知手段とを備えるものであることで、現在放送中の番組でユーザが参加できる参加型番組の有無を知ることができ、参加型コンテンツがある番組を容易に知ることができ、参加型番組への参加の補助をすることが可能となる。
【００２７】
本発明の番組情報表示方法は、デジタル放送受信装置の番組情報表示方法であって、電子番組表情報を取得する取得ステップと、ユーザデータを保存する保存ステップと、保存された前記ユーザデータに基づいて、取得した前記電子番組表に、参加型番組に関連する情報を付加した番組表を作成する作成ステップと、作成された前記番組表を表示する表示ステップとを有することを特徴としている。
【００２８】
さらに、放送局との双方向サービスやゲームなどの参加型番組に参加する参加ステップと、前記参加により取得したデータにより前記保存ステップで保存されたユーザデータを更新するステップとを有することがより好ましい。
【００２９】
別の観点から、本発明は、デジタル放送受信装置の番組情報表示方法であって、デジタル放送受信装置の番組情報表示方法であって、電子番組表情報を取得するステップと、ユーザデータを保存するステップと、保存された前記ユーザデータに基づいて、取得した前記電子番組表に、参加型番組に関連する情報を付加した番組表を作成するステップと、作成された前記番組表を表示するステップとをコンピュータに実行させるためのプログラムである。
【発明の効果】
【００３０】
以上、詳述したように、本発明によれば、放送局との双方向サービスや番組のコンテンツを楽しむためのユーザ会員登録情報や番組毎の会員登録情報と獲得したポイントなどのユーザデータを番組情報と共に保存し、特定形式の番組表や番組情報表示画面及び裏番組一覧などとして表示するので、会員登録済みの放送局や番組を他の番組や放送局とを判別することが可能となり、選局が容易になる効果がある。また、該当番組を視聴することなく、ユーザデータの確認を行うことができる。
【００３１】
また、既に参加したことがある参加型番組においても同様に表示することにより、該当番組を他の番組と判別することが可能となり、選局が容易になる。さらに、会員登録せずに参加した場合では通常保持されない取得データを保持することにより、前回の取得ポイントなどを知ることができる。
【発明を実施するための最良の形態】
【００３２】
以下、添付図面を参照しながら本発明の好適なデジタル放送受信装置及び番組情報表示方法の実施の形態について詳細に説明する。
【００３３】
図１は、本発明の実施の形態のデジタル放送受信装置の基本構成を示すブロック図である。本実施の形態に係るデジタル放送受信装置は、地上波、ＣＳ／ＢＳデジタル衛星放送を受信して再生するデジタル放送受信機に適用した例である。
【００３４】
図１において、デジタル放送受信装置１００は、デジタル放送を受信する受信アンテナ１０１、受信した放送波をチューニングするチューナ１０２、チューニングされたデータを復調する復調部１０３、ＥＰＧデータを抽出しまた、復調されたデータを分離する分離部１０４（電子番組表取得手段）、分離されたビデオデータをデコードしまた、ビデオ情報を静止画としてキャプチャするビデオデコード／キャプチャ部１０８、分離されたＥＰＧの処理をしたり、ＯＳＤ（On Screen Display）を表示するための処理をしたり、ＥＰＧと予約情報をミックスさせて表示する処理を行うＥＰＧ／ＯＳＤ／予約データ処理部１０９、分離されたオーディオデータをデコードするオーディオデコード部１１０、デコードされたビデオ信号とＥＰＧやＯＳＤを合わせてからビデオ出力として変換するビデオ出力変換部１１１（表示手段の一部）、デコードされたオーディオ信号を出力信号に変換するオーディオ出力変換部１１２、チューナの選局を行う選局部１０５、任意のアドレスを指定して読み書きすることが可能な半導体メモリであり、抽出したＥＰＧデータを保存しておいたりするＲＡＭ１０６、全体の処理をつかさどり視聴予約情報や録画予約情報と該当する番組情報データの格納を行ったり、予約情報の比較なども行うＣＰＵ１０７（番組表作成手段，参加手段の一部）、会員登録されている放送局や番組情報及びそれらの登録情報とユーザデータ（ユーザに参加を促す表示を行うためのデータを含む）を保存したり、参加した参加型番組やゲームなどの点数蓄積型の番組への参加履歴及び該当番組でのデータ（番組名や放送局とその際のユーザデータ）などを格納しておくユーザデータ格納部１１３（ユーザデータ保存手段）、プログラムやユーザデータなどが格納され、ＥＰＧデータも格納されている書換え可能な不揮発性メモリ１１４、リモコン装置（図示略）からの信号を受信するリモコン受光部１１６、リモコン受光部１１６で受信したリモコンコードを解析するリモコンコード解析部１１５、一般公衆回線１１８などを通じてネットワークに接続するためのモデム等からなる通信部１１７（通信手段）、Ｂ−Ｃａｓカード等のＩＣカード１２０（参加手段の一部，ブラウザ手段の一部）を装着するＩＣカードスロット１１９を備えて構成される。
【００３５】
上記リモコン装置は、ユーザからの指示・入力を受け付けるＵＩ（User Interface）部の一部を構成し、リモコン受光部１１６により受光したユーザの指示をリモコンコード解析部１１５を介してＣＰＵ１０７へ伝達する。
【００３６】
通信部１１７は、放送局とデジタル放送受信装置１００間で会員情報などをやり取りする。ここでは放送局に接続されたサーバに電話回線等の一般公衆回線で接続する。
【００３７】
ＩＤカード１２０は、識別番号，有効期限情報，デスクランブル化に必要な鍵情報などを記憶するＢ−Ｃａｓカード等のＩＣカードであり、デジタル放送受信装置１００のＩＣカードスロット１１９に装着してデジタル放送番組を視聴可能にする。
【００３８】
また、ＩＤカード１２０は、放送局との双方向サービスやゲームなどの参加型番組に参加する際のユニークな会員番号、及びＢＳデジタル放送などで使用されている、ＢＭＬ（Broadcast Markup Language）で記述されたコンテンツを解釈し、該ＢＭＬで記述されたコンテンツを表示部に表示するブラウザ機能を有する。本例では、Ｂ−ＣａｓカードからなるＩＣカード１２０には、ゲストとして視聴者参加型番組に参加するための会員番号が予め付与され、ＩＣカード１２０をデジタル放送受信装置１００本体に装着することにより、ゲームなどの参加型番組に参加することができる。また、ゲームなどの視聴者参加型番組に参加し、番組で取得したデータ（獲得ポイントなど）はユーザデータ格納部１１３に格納する。したがって、本デジタル放送受信装置１００では、ユーザが予め特別な登録設定を行うことなく、ゲームなどの参加型番組に参加することができ、参加型番組で取得したデータをユーザデータ格納部１１３に格納しておくことができる。会員登録情報，保有点数などのユーザデータは、ゲームなどの参加型番組参加後には更新され、ユーザデータ格納部１１３に格納されることになるが、このままでは自分が獲得した保有点数などのユーザデータは自己のユーザデータ格納部１１３に格納されるにとどまる。保有点数などのユーザデータを他の会員に送るためには以下の方法をとる。ＩＣカード１２０には、放送局との双方向サービスや視聴者参加番組に参加するためのコンテンツがＢＭＬで記述されており、ＣＰＵ１０７はこのＢＭＬを実行して記述されたコンテンツを表示部に表示する。ユーザが表示部に表示された「送信ボタン」を押す（クリックする）と、ＢＭＬで記述された通信手順に従って通信部１１７が予め決められた放送局等の通信先にダイアルアップし、電話回線を通じてユーザデータ格納部１１３に格納されたユーザデータを送受信しデータを更新する。また、会員登録や会員登録抹消も同様の手順で行うことができる。ユーザにとっては、無手順（「送信ボタン」を押すだけ）で自己のユーザデータを放送局に接続されたサーバに送信することができる。一方、放送局に接続されたサーバは、会員から送られた会員登録情報や獲得ポイントなどのユーザデータを管理し、適当なタイミングでデジタル放送受信装置１００に送信する。なお、本実施の形態では、ＢＳデジタル放送などで使用されている、ＢＭＬを参加手段として用いているが、ＢＭＬ以外の、デジタル放送用のコンテンツ記述言語であってもよい。また、インターネット上で多く使われるマーク記述言語として、ＨＴＭＬ（Hyper Text Markup Language）やＸＭＬ（eXtensible Markup Language）などがあるが、このようなマーク記述言語を用いたハイパーリンク記述に、リンク先のデータの情報として、データ種別、カテゴリなどを記載しておくことにより、装置内の同じデータ種別、同じカテゴリに属するデータを用いることも可能である。また、ユーザデータ格納部１１３に格納されたユーザデータを電話回線で送信しているが、イーサネットなどどのような通信手段により送信してもよい。
【００３９】
ＣＰＵ１０７は、取得した電子番組表情報及びユーザデータ格納部１１３から読み出したユーザデータに基づいて、取得した電子番組表に、参加型番組に関連する情報を付加した特定形式の番組情報及び／又は番組表を作成する処理を行う。なお、以下の説明において、取得した電子番組表に、ゲームや双方向番組など参加型番組に関連する情報を付加して作成した番組情報・番組表を特定形式の番組表と呼ぶ。
【００４０】
ＣＰＵ１０７は、作成された番組表の参加ボタンが押下されると、放送局との双方向サービスやゲームなどの参加型番組に参加する参加手段としての機能を有する。例えば、ネットワーク上のデータ間でリンクを構成する場合、リンク先のデータを特定するためのＵＲＬ記述、リンク先のデータ種別、又はカテゴリを記述した付加情報を記憶するＩＤカード１２０（リンク情報記憶手段）からリンク情報を読み出し、ＣＰＵ１０７は、リンク先のデータを取得することなく、構文解析等を行いながら必要な関連情報を取り出してデータ構造を明確化し、ネットワーク上の目的のデータにアクセスする。
【００４１】
ＥＰＧ／ＯＳＤ／予約データ処理部１０９のＯＳＤ機能は、チャンネル、音量、設定情報、時刻などの情報、特に文字スーパー情報の描画などを表示部（図示略）の画面上に表示する。デジタル・テレビジョン受信機等の映像装置では、受信状況、時刻、音量などの情報を画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素が入力画像などの原画像の上に重畳される。
【００４２】
オーディオ出力変換部１１２は、発音装置としてオーディオでコード部１１０からの出力信号をデジタル信号処理する音声コーデックを設置する構成でもよい。音声コーデックは、ＰＣＭ（Pulse Code Modulation）音源ＩＣ等により構成され、オーディオでコード部１１０から受け取った信号を音声信号に変換してスピーカから出力する。
【００４３】
本実施の形態では、ＥＥＰＲＯＭ（electrically erasable programmable ROM）等の不揮発性メモリ１１４にユーザデータ格納部１１３を確保しているが、ユーザデータ格納部１１３は、例えばハードディスクドライブ（ＨＤＤ）のほか、電源バックアップにより書き込まれた情報を保持するＳＲＡＭ（Static RAM）カードや電源バックアップが不要なフラッシュメモリ等からなるコンパクトフラッシュ（ＣＦ）、スマートメディア、メモリスティック、さらにはコンパクトフラッシュと同程度の大きさ又はＰＣカードTypeIIに装着可能な超小型ＨＤＤ等の着脱自在な記憶媒体であってもよい。
以下、上述のように構成されたデジタル放送受信装置１００の動作を説明する。
【００４４】
図２は、会員登録済みマーク及び参加済み番組を電子番組表に表示する特定形式の番組表の一例を示す図である。図２は、ＣＰＵ１０７が、取得した電子番組表情報及びユーザデータ格納部１１３から読み出したユーザデータに基づいて作成した特定形式の番組表の例である。ユーザデータ格納部１１３は、放送局との双方向サービスや番組のコンテンツを楽しむための会員登録データをユーザデータとして保存している。
【００４５】
図２において、１２１は、デジタル放送の放送種別の表示例であり、１２２は、放送局名やチャンネル番号などの表示例である。また、１２３は、放送局ごとの会員登録情報を表示する会員登録表示枠であり、１２４は、会員登録されている旨を示すための会員マークである。会員マーク１２４は、会員登録表示枠１２３の枠内に表示されているため、該当する放送局の会員登録している旨を表している。また、１２６のように番組枠内に会員登録マークが表示されている場合は、該当番組のみの会員登録をしている旨を表している。
【００４６】
１２５は、番組表の日付の表示例であり、１２７は番組表の時刻の表示例であり、１２８は、番組表における放送番組の表示例である。１２９は、現在選択されている番組の表示例であり、１３０は、該当番組に参加したことがある際に表示される参加済みマークである。１３１は、選択されている番組の簡易番組情報の表示部であり、ここに、会員登録マークや参加済みマークを表示することによっても、該当番組の会員登録状況や参加状況の把握が行える。１３２は、特定形式の番組表における操作ボタン群の表示例であり、１３３は、この番組表において会員登録済みの番組のみの番組表を表示したい場合に操作するボタンである。１３４は、この番組表において参加済みの番組のみの番組表を表示したい場合に操作するボタンである。１３５は、この番組表において会員登録済み及び参加済みの番組のみの番組表を表示したい場合に操作するボタンである。１３６は、この番組表において、すべての番組の番組表を表示する際に操作するボタンである。
【００４７】
このようにして、上記特定形式の番組表により、会員登録済みの番組や参加済み番組かの判別がし易くなると共に、参加していた番組の視聴忘れしないための補助にもなる。
【００４８】
図３は、電子番組表の選択番組の簡易情報表示部に、会員情報や取得データを表示する特定形式の番組表の一例を示す図である。図２と同一構成部分には同一符号を付している。
【００４９】
図３は、図２において選択されている番組の簡易番組情報の表示部１３１に、会員登録情報や取得している獲得ポイント１３７を一緒に表示している表示例である。これを実現するため、ユーザデータ格納部１１３は、放送局との双方向サービスや番組のコンテンツを楽しむための会員登録データ及び、ゲームなどの参加型番組において取得したポイントデータをユーザデータとして保存する。
【００５０】
図３では、表示部１３１上にゲームなどの参加型番組において取得した獲得ポイント１３７を表示する。ここでは、獲得ポイント１３７は、簡易番組情報の表示部１３１に会員情報と獲得ポイント（たろう：１９０００Ｐ，はなこ：８０００Ｐ）のみを表示している。
【００５１】
図３の獲得ポイント１３７に示すように、通常該当番組を視聴しないと見ることができなかった、会員登録情報や取得データを見ることができる。
【００５２】
図４は、電子番組表の選択番組の詳細情報表示部に、会員情報や取得データを表示する特定形式の番組表の一例を示す図である。図２及び図３と同一構成部分には同一符号を付している。
【００５３】
図４において、１３８は選択されている番組の詳細情報の表示部であり、詳細情報表示部１３８は、番組詳細情報として番組情報１３８Ａ及びユーザ情報１３８Ｂを表示している。ここでは、番組詳細情報の番組情報１３８Ａは、「視聴者参加型のゲーム番組です。ゲームにより獲得したポイントによって豪華商品をＧｅｔ！」を表示し、ユーザ情報１３８Ｂは、図３の獲得ポイント１３７をより詳細に表示した獲得ポイントや、獲得ポイントが更新された日付（前回参加日）、ポイント有効期限を表示している。また、このユーザ情報１３８Ｂには表示されていないが、前回視聴した日付の表示も可能である。
【００５４】
このように、詳細情報表示部１３８には、該当ポイントの有効期限なども表示できるため、該当番組を視聴することなく、会員登録情報や取得データの詳細情報を見ることができる。
【００５５】
図５は、特定形式の番組情報や番組表を表示する際に付されるマークや情報の一覧表を示す図である。
【００５６】
図５に示すように、会員登録の有無、参加履歴の有無、締切の有無、ポイントの有無のそれぞれにおいて、「会員」マーク表示、「参加」マーク表示、「締切」マーク表示、会員登録情報表示、取得ポイント表示を行う。●印の箇所において各マーク（例えば「会員」マーク）を表示する。
【００５７】
例えば、放送局として会員登録されている場合は、会員登録表示枠内に会員登録マークを表示し、番組自体で会員登録されている場合は、番組表示枠内に会員登録マークを表示する。それ以外については、それぞれ番組表の番組表示枠内や簡易番組情報表示部及び詳細番組情報表示部毎に表示したい部分に応じて判定を行う。ここで、ポイントとは、そこで使用するポイントが放送局としての登録情報のポイントを使用しているのか、それとも、番組独自のポイントを使用しているのかで判定を行うようにする。
【００５８】
図６は、会員登録済みの番組と参加済みの番組のみの電子番組表を表示する特定形式の番組表の一例を示す図である。図２乃至図４と同一構成部分には同一符号を付している。
【００５９】
図６の画面では、図２において放送種別（テレビ／ラジオ／データ）や放送波（ＢＳデジタル／ＣＳ１／ＣＳ２）に関係なく、すべての会員登録済み及び参加済み番組のみの番組表を表示している。同様に、それぞれの放送種別毎や放送波毎の表示や、会員登録済み番組のみや参加済み番組のみの番組表の表示も可能である。
【００６０】
図７は、締切り日が設定されている場合の締切り日を示すマーク電子番組表に表示する特定形式の番組表の一例を示す図である。図２乃至図４と同一構成部分には同一符号を付している。
【００６１】
図７の画面では、現在選択されている番組の表示例１２９及び表示部１３１に、締切り日マーク１３０Ａが設定されている。
【００６２】
これにより、図２において番組で取得したポイントの締切り日や有効期限の確認を該当番組を視聴することなく確認することが可能となる。また、取得ポイントと同時に表示することにより、獲得ポイントと締切り日を一緒に確認することができるようになる。
【００６３】
図８は、締切り日までの日数に応じて締切り日設定を示すマークの表示を変える際の表示の一例を示す図であり、締切り日設定マーク内に残りの日数を表示する例を示す。
【００６４】
図８に示すように、締切り日設定マーク１３０Ｂ内に残りの日数（一週前，３日前など）を表示する。また、締切り日設定マーク１３０Ｂの色を残りの日数に応じて変えることで、締切日までの残りの日数の既略を表示している。締切日に近づくに従って、より注意を喚起しやすい色や彩度を上げることが好ましい。上記締切り日設定マーク１３０Ｂは、図７の締切り日マーク１３０Ａに代えて使用できる。
【００６５】
図９は、選局時や番組情報表示時に表示する特定形式の番組情報の表示の一例を示す図である。
【００６６】
図９において、１４０は選択されている番組の特定形式の番組情報の表示例であり、特定形式の番組情報１４０は、選択されている番組１４１と、その番組詳細情報として番組情報１４２及びユーザ情報１４３を表示する。また、番組詳細情報には、前記特定形式の番組表の場合と同様に、会員登録されている旨を示すための会員マーク１２４、該当番組に参加したことがある際に表示される参加済みマーク１３０及び締切り日マーク１３０Ａが表示される。
【００６７】
ここでは、番組詳細情報の番組情報１４２は、「視聴者参加型のゲーム番組です。ゲームにより獲得したポイントによって豪華商品をＧｅｔ！」を表示し、ユーザ情報１４３は、獲得ポイント（たろう：１９０００Ｐ，はなこ：８０００Ｐ）及び、締切日（本日締切日です！）を表示する。また、この番組情報１４０画面内に、会員登録済み、参加済み、締切り日設定マークなどを表示して該当番組の状況を知らせたり、会員登録情報や取得データなどの保存データを表示して該当番組におけるユーザデータを取得動作をすることなく確認することができる。
【００６８】
図１０は、選局時や番組情報表示時に表示する特定形式の番組情報の表示の一例を示す図であり、図９と同一構成部分には同一符号を付している。
【００６９】
通常、会員登録されていないような番組で参加型コンテンツに参加した場合、会員データがないため獲得ポイントなどが保存されず、表示されることもなかったが、参加のみの場合でもデータを保存しているため、ポイントの加算はされない。本例では、前回の獲得ポイントを図１０の番組情報画面のユーザ情報１４３に表示する。図１０では、ユーザ名をゲストとし、前回のポイントと、会員登録されていない旨（会員登録されていません）を表示する。これにより、会員登録されていないような番組で参加型コンテンツに参加した場合の獲得ポイントと、会員登録されていない旨をユーザに知らせることができる。
【００７０】
図１１は、会員登録済みマーク及び参加済み番組を裏番組表に表示する特定形式の番組表の一例を示す図である。図１１は、ＣＰＵ１０７が、取得した電子番組表情報及びユーザデータ格納部１１３から読み出したユーザデータに基づいて作成した特定形式の裏番組表の例である。ユーザデータ格納部１１３は、放送局との双方向サービスや番組のコンテンツを楽しむための会員登録データをユーザデータとして保存している。
【００７１】
図１１において、１５０は、裏番組の一覧表の表示例である。１５１は、放送局名やチャンネル番号など裏番組の表示例である。また、１５２は、放送局ごとの会員登録情報を表示する会員登録表示枠であり、１５３は、会員登録されている旨を示すための会員マークである。会員マーク１５３は、会員登録表示枠１５２の枠内に表示されているため、該当する放送局の会員登録している旨を表している。１５４は、現在選択されている番組の表示例であり、１５５は、該当番組に参加したことがある際に表示される参加済みマークである。１３１は、選択されている番組の簡易番組情報の表示部であり、ここに、会員登録マークや参加済みマークを表示することによっても、該当番組の会員登録状況や参加状況の把握が行える。
【００７２】
このように、裏番組表１５０に会員登録マーク１５３や参加マーク１５５、締切り日設定マーク１３０Ａを表示することにより、現時刻の裏番組における該当番組の有無が確認できる。さらに、簡易番組情報表示１３１で会員登録情報の確認もできる。
【００７３】
図１２は、会員登録済みマーク及び参加済み番組を裏番組表に表示する特定形式の裏番組会員／参加番組の一例を示す図である。図１１と同一構成部分には同一符号を付している。
【００７４】
会員登録済み番組及び参加済み番組のみの裏番組一覧を表示しているため、現時刻の該当番組の有無が容易に行えるようになる。
【００７５】
図１３は、会員登録済みマーク及び参加済み番組を裏番組表に表示する特定形式の裏番組会員のみの参加番組の一例を示す図である。図１２と同一構成部分には同一符号を付している。
【００７６】
会員登録済み番組のみの裏番組一覧を表示するので、該当時間帯のそれぞれの番組を容易に確認することができる。同様にして、参加済み番組のみの裏番組一覧の表示を行うようにすれば、該当参加済み番組のそれぞれの番組を容易に確認することができる。
【００７７】
図１４は、現時間帯における会員専用の番組情報を表示する特定形式の番組情報の一例を示す図である。
【００７８】
図１４において、１６０はＴＶ画面、１６１はＴＶ画面１６０と共に表示される現時間帯における会員専用の番組情報（特定形式の番組情報）である。図１４では、４つの会員専用の番組情報１６１ａ〜１６１ｄがＴＶ画面１６０の右側に表示されている。現時間帯における会員専用の番組情報１６１の数が多く表示しきれない場合はその旨を表示し、ユーザ操作により表示されていない会員専用の番組情報１６１を表示する。また、現時間帯における会員専用の番組情報１６１がなければその旨を表示する。
【００７９】
このように、ユーザが該当番組において会員登録の有無にかかわらず、現時刻における会員専用のコンテンツが含まれている番組の情報を、会員専用の番組情報１６１としてＴＶ画面１６０と一緒に表示しているので、現時刻の全会員専用の番組を容易に知ることができ、会員登録によって楽しめる番組を知る助けにもなる。
【００８０】
図１５は、現時間帯における参加型番組の番組情報を表示する特定形式の番組情報の一例を示す図である。図１４と同一構成部分には同一符号を付している。
【００８１】
図１５において、１６０はＴＶ画面、１７１はＴＶ画面１６０と共に表示される現時間帯における参加型番組の番組情報（特定形式の番組情報）である。図１５では、４つの参加型番組の番組情報１７１ａ〜１７１ｄがＴＶ画面１６０の右側に表示されている。現時間帯における参加型番組の番組情報１７１の数が多く表示しきれない場合はその旨を表示し、ユーザ操作により表示されていない参加型番組の番組情報１７１を表示する。また、現時間帯における参加型番組の番組情報１７１がなければその旨を表示する。
【００８２】
このように、ユーザが該当番組において参加の有無にかかわらず、現時刻における参加型のコンテンツが含まれている番組の情報を、参加型番組の番組情報１７１としてＴＶ画面１６０と一緒に表示しているので、現時刻の参加型番組を容易に知ることができ、参加して楽しめる番組を知る助けにもなる。
【００８３】
以上のように、本実施の形態のデジタル放送受信装置１００は、ＥＰＧデータを抽出する分離部１０４と、参加した参加型番組やゲームなどの点数蓄積型の番組への参加履歴及び該当番組でのユーザデータを保存するユーザデータ格納部１１３と、装置全体の制御を行うと共に、ユーザデータに基づいて、取得したＥＰＧデータに、参加型番組に関連する情報を付加した特定形式の番組情報又は番組表を作成する処理を行うＣＰＵ１０７とを備え、作成された番組表をディスプレイに表示するので、会員登録されている番組や参加している番組、点数を保有している番組などを容易に判別でき、選局も容易で、番組表で会員登録情報や保有する点数なども参照することができる。また、会員登録せずに参加した番組の情報の保存を行うことができ、会員登録していない参加型番組での取得データの確認を行うことができる。
【００８４】
なお、本実施の形態に係るデジタル放送受信装置は、テレビジョン受信機は勿論のこと、テレビジョン受信機以外の電子機器、例えば映像を表示するディスプレイに文字画面を表示可能なパーソナルコンピュータや携帯電話のデジタル放送受信装置に適用してもよい。
【００８５】
また、図２乃至図１５の特定形式の番組表又は番組情報例は代表例を挙げたものであり、どのような表示態様でも構わない。
【００８６】
また、本実施の形態ではテレビジョン放送受信装置という名称を用いたが、これは説明の便宜上であり、テレビジョン受信機、番組表表示方法等であってもよいことは勿論である。
【００８７】
さらに、上記デジタル放送受信機を構成する各回路部、例えば記憶装置等の種類、数及び接続方法などは前述した実施の形態に限られない。
【００８８】
以上説明したデジタル放送受信機は、このデジタル放送受信機を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【図面の簡単な説明】
【００８９】
【図１】本発明の実施の形態のデジタル放送受信装置の基本構成を示すブロック図である。
【図２】本実施の形態のデジタル放送受信装置の会員登録済みマーク及び参加済み番組を電子番組表に表示する特定形式の番組表の一例を示す図である。
【図３】本実施の形態のデジタル放送受信装置の電子番組表の選択番組の簡易情報表示部に、会員情報や取得データを表示する特定形式の番組表の一例を示す図である。
【図４】本実施の形態のデジタル放送受信装置の電子番組表の選択番組の詳細情報表示部に、会員情報や取得データを表示する特定形式の番組表の一例を示す図である。
【図５】本実施の形態のデジタル放送受信装置の特定形式の番組情報や番組表を表示する際に付されるマークや情報の一覧表を示す図である。
【図６】本実施の形態のデジタル放送受信装置の会員登録済みの番組と参加済みの番組のみの電子番組表を表示する特定形式の番組表の一例を示す図である。
【図７】本実施の形態のデジタル放送受信装置の締切り日が設定されている場合の締切り日を示すマーク電子番組表に表示する特定形式の番組表の一例を示す図である。
【図８】本実施の形態のデジタル放送受信装置の締切り日までの日数に応じて締切り日設定を示すマークの表示を変える際の表示の一例を示す図である。
【図９】本実施の形態のデジタル放送受信装置の選局時や番組情報表示時に表示する特定形式の番組情報の表示の一例を示す図である。
【図１０】本実施の形態のデジタル放送受信装置の選局時や番組情報表示時に表示する特定形式の番組情報の表示の一例を示す図である。
【図１１】本実施の形態のデジタル放送受信装置の会員登録済みマーク及び参加済み番組を裏番組表に表示する特定形式の番組表の一例を示す図である。
【図１２】本実施の形態のデジタル放送受信装置の会員登録済みマーク及び参加済み番組を裏番組表に表示する特定形式の裏番組会員／参加番組の一例を示す図である。
【図１３】本実施の形態のデジタル放送受信装置の会員登録済みマーク及び参加済み番組を裏番組表に表示する特定形式の裏番組会員のみの参加番組の一例を示す図である。
【図１４】本実施の形態のデジタル放送受信装置の現時間帯における会員専用の番組情報を表示する特定形式の番組情報の一例を示す図である。
【図１５】本実施の形態のデジタル放送受信装置の現時間帯における参加型番組の番組情報を表示する特定形式の番組情報の一例を示す図である。
【符号の説明】
【００９０】
１００  デジタル放送受信装置
１０１  受信アンテナ
１０２  チューナ
１０３  復調部
１０４  分離部（電子番組表取得手段）
１０５  選局部
１０６  ＲＡＭ
１０７  ＣＰＵ（番組表作成手段，参加手段の一部）
１０８  ビデオデコード／キャプチャ部
１０９  ＥＰＧ／ＯＳＤ／予約データ処理部
１１０  オーディオデコード部
１１１  ビデオ出力変換部（表示手段の一部）
１１２  オーディオ出力変換部
１１３  ユーザデータ格納部（ユーザデータ保存手段）
１１４  不揮発性メモリ
１１７  通信部（通信手段）
１１８  一般公衆回線（電話回線）
１１９  ＩＣカードスロット
１２０  ＩＣカード（参加手段の一部，ブラウザ手段の一部）
【図１】
2006005850.tif 000003
【図２】
2006005850.tif 000004
【図３】
2006005850.tif 000005
【図４】
2006005850.tif 000006
【図５】
2006005850.tif 000007
【図６】
2006005850.tif 000008
【図７】
2006005850.tif 000009
【図８】
2006005850.tif 000010
【図９】
2006005850.tif 000011
【図１０】
2006005850.tif 000012
【図１１】
2006005850.tif 000013
【図１２】
2006005850.tif 000014
【図１３】
2006005850.tif 000015
【図１４】
2006005850.tif 000016
【図１５】
2006005850.tif 000017